(57)【特許請求の範囲】
【請求項１】
各種の遊技機構成部材用の搭載枠とされる前枠を、着脱および開閉可能に支持するパチンコ遊技機の外枠であって、
前記外枠は、上辺を構成する金属製の上枠部材と、左辺を構成する金属製の左側枠部材と、右辺を構成する金属製の右側枠部材と、下辺を構成する金属製の下枠部材とを連結して前後に開口する矩形枠状に構成され、
前記上枠部材は、該上枠部材の長手方向へ延在して上面を構成し、外枠の前後方向である該上枠部材の短手方向に離間する３つの第１壁部と、該上枠部材の長手方向へ延在して下面を構成し、該上枠部材の短手方向に離間する２つの第２壁部と、第１壁部と第２壁部に略直角に連設されて該上枠部材の長手方向および厚み方向へ延在する４つの第３壁部とから、該上枠部材の短手方向の中央に第１壁部および一対の第３壁部により凸状部分が該上枠部材の長手方向に延在するよう形成されると共に該凸状部分の両側に第２壁部および一対の第３壁部により凹状部分が該上枠部材の長手方向に延在するよう形成され、
前記左側枠部材は、該左側枠部材の長手方向へ延在して前記右側枠部材から離間する外面を構成し、外枠の前後方向である該左側枠部材の短手方向に離間する２つの第１壁部と、該左側枠部材の長手方向へ延在して前記右側枠部材を向く内面を構成し、該左側枠部材の短手方向に離間する３つの第２壁部と、第１壁部と第２壁部に略直角に連設されて該左側枠部材の長手方向および厚み方向に延在する４つの第３壁部とから、該左側枠部材の短手方向の中央に第２壁部および一対の第３壁部により凸状部分が該左側枠部材の長手方向に延在するよう形成されると共に該凸状部分の両側に第１壁部および一対の第３壁部により凹状部分が該左側枠部材の長手方向に延在するよう形成され、
前記右側枠部材は、該右側枠部材の長手方向へ延在して前記左側枠部材から離間する外面を構成し、外枠の前後方向である該右側枠部材の短手方向に離間する２つの第１壁部と、該右側枠部材の長手方向へ延在して前記左側枠部材を向く内面を構成し、該右側枠部材の短手方向に離間する３つの第２壁部と、第１壁部と第２壁部に略直角に連設されて該右側枠部材の長手方向および厚み方向に延在する４つの第３壁部とから、該右側枠部材の短手方向の中央に第２壁部および一対の第３壁部により凸状部分が該右側枠部材の長手方向に延在するよう形成されると共に該凸状部分の両側に第１壁部および一対の第３壁部により凹状部分が該右側枠部材の長手方向に延在するよう形成され、
前記下枠部材は、該下枠部材の長手方向へ延在して上面を構成する上板部と、該下枠部材の長手方向へ延在して前面を構成する前板部と、該下枠部材の長手方向へ延在して下面を構成する底板部とからコ字状の形態とされ、前記左側枠部材の下端を連結する第１連結部および右側枠部材の下端を連結する第２連結部を有し、
前記上枠部材の左端および前記左側枠部材の上端の間に介在し、両部材同士を連結する金属製の第１連結部材は、水平支持板と、該水平支持板の左端に折曲形成されて前後方向に離間する２枚の垂直支持片とから構成され、前記水平支持板を、上枠部材における第２壁部の下面に接合すると共に、２枚の垂直支持片を、左側枠部材における凸状部分を挟む両側の第１壁部の内面に２枚の第３壁部で挟まれた状態で夫々接合することで、上枠部材と左側枠部材とが連結され、
前記上枠部材の右端および前記右側枠部材の上端の間に介在し、両部材同士を連結する金属製の第２連結部材は、水平支持板と、該水平支持板の右端に折曲形成されて前後方向に離間する２枚の垂直支持片とから構成され、前記水平支持板を、上枠部材における第２壁部の下面に接合すると共に、２枚の垂直支持片を、右側枠部材における凸状部分を挟む両側の第１壁部の内面に２枚の第３壁部で挟まれた状態で夫々接合することで、上枠部材と右側枠部材とが連結され、
前記第１連結部は、前記上板部の左端に連設された第１支持片と、前記前板部および底板部の左端に連設されて第１支持片から左方に左側枠部材の厚み寸法だけ離間する第２支持片および第３支持片とから構成され、前記第１支持片を左側枠部材の第２壁部の内面に接合すると共に、前記第２支持片および第３支持片を左側枠部材における第１壁部の外面に接合することで、下枠部材と左側枠部材とが連結され、
前記第２連結部は、前記上板部の右端に連設された第１支持片と、前記前板部および底板部の右端に連設されて第１支持片から右方に右側枠部材の厚み寸法だけ離間する第２支持片および第３支持片とから構成され、前記第１支持片を右側枠部材の第２壁部の内面に接合すると共に、前記第２支持片および第３支持片を右側枠部材における第１壁部の外面に接合することで、下枠部材と右側枠部材とが連結される
ことを特徴とするパチンコ遊技機の外枠。
【請求項２】
前記右側枠部材における前記凸状部分を構成する第２壁部には、内外方向に貫通する開口部が開設され、
前記前枠を閉成状態に保持する別体の受片は、前記開口部に嵌入可能な台形状の掛止片と、この掛止片に略直角に連設された取付片とから構成され、
前記受片は、前記掛止片を開口部に外側から嵌入した状態で、前記取付片が前記凸状部分を構成する第２壁部の外面に固着される請求項１記載のパチンコ遊技機の外枠。
【請求項３】
前記左側枠部材および右側枠部材は、長手方向における略中間部位に、当該枠部材の捻れ変形を防止する補強部材を有している請求項１または２記載のパチンコ遊技機の外枠。
【請求項４】
前記下枠部材における下方を指向する底板部に、設置調整穴が設けられている請求項１〜３の何れか一項に記載のパチンコ遊技機の外枠。
【請求項５】
前記第１連結部材に上ヒンジ部が設けられると共に、前記下枠部材の左端部に上ヒンジ部と対向する下ヒンジ部が設けられ、これら両ヒンジ部を利用して前記前枠が着脱および開閉可能に連結される請求項１〜４の何れか一項に記載のパチンコ遊技機の外枠。
【請求項６】
前記下枠部材における前側を指向する前板部に、装飾部材が着脱可能に装着されるようになっている請求項１〜５の何れか一項に記載のパチンコ遊技機の外枠。
【請求項７】
前記前板部に第１係止部が設けられると共に、該第１係止部に係止可能な第２係止部が前記装飾部材に設けられ、これら第１係止部および第２係止部の係脱により、前記装飾部材が前記下枠部材に着脱可能となっている請求項６記載のパチンコ遊技機の外枠。
【発明の詳細な説明】
【０００１】
【発明の属する技術分野】
この発明は、パチンコ遊技機の外枠に関し、更に詳細には、金属製の上枠部材、金属製の左側枠部材と右側枠部材、金属製の下枠部材から構成され、各種の遊技機構成部材用の搭載枠とされる前枠を着脱および開閉可能に支持するパチンコ遊技機の外枠に関するものである。
【０００２】
【従来の技術】
パチンコ機やアレンジボール機等のパチンコ遊技機は、縦長の矩形枠状に形成された外枠に、各種の遊技構成部材用の搭載枠ともされる前枠が着脱および開閉可能に装着され、これにより遊技機本体が構成されている。前記外枠は、上枠部材、左側枠部材、右側枠部材および下枠部材とから構成され、これら枠部材を枠組み連結して形成されている。そして従来の外枠は、前記上枠部材、左側枠部材、右側枠部材および下枠部材を、木製および／または合成樹脂製としたものが主流とされていた。
【０００３】
しかしながら、木製および／または合成樹脂製の枠部材からなる外枠では、重量が嵩む前記前枠を支持するに充分な剛性を確保するために、金属製等の各種補強部材を別途装着することが不可欠とされている。しかし補強部材を装着したとしても、前記各枠部材自体の経年変化を起因とした反りや捻れおよび撓み等の変形が少なからず発生してしまい、前記前枠を長期間に亘って安定的に支持し得ない問題を内在していた。しかも、このような問題に起因して耐用年数が短いことから、木製のものでは省資源等の観点での問題を内在し、また合成樹脂製のものでは廃棄処理に伴う環境保護等の観点での問題を内在しているのが実情である。
【０００４】
【発明が解決しようとする課題】
そこで近年に至っては、木製および／または合成樹脂製の外枠に内在している前述の問題点を解決するために、前記上枠部材、左側枠部材、右側枠部材および下枠部材を、鉄やアルミニウム等の金属素材から形成した外枠が提案されている。しかしながら、これまで提案されている金属製の外枠では、▲１▼軽量化と強度アップとが相反して充分な強度を確保できない、▲２▼部品点数削減に伴って付属部品の一体成形化を図るために前記枠部材を押出し成形技術を利用して成形するようにしたが、成形された該枠部材の角部等に肉薄な部分が形成され易い欠点があり、この肉薄な部分に応力が加わると該枠部材に歪が生じて前記付属部品の位置ずれが発生し、該付属部品の配設位置の精度が確保できない、▲３▼下枠部材がパチンコ遊技機の前面に露出するため、塗装等を施したとしても装飾効果が乏しくて質感向上を図り得ない、等の様々な問題を内在していた。
【０００５】
【発明の目的】
本発明は、前述した課題を好適に解決するべく提案されたもので、上枠部材、左側枠部材、右側枠部材および下枠部材を夫々金属製としたもとで、夫々の枠部材の強度向上、付属部品の配設位置の精度向上、装飾性の向上等を図ったパチンコ遊技機の外枠を提供することを目的とする。
【０００６】
【課題を解決するための手段】
前述した課題を克服し、所期の目的を好適に達成するため本発明は、
各種の遊技機構成部材用の搭載枠とされる前枠(A)を、着脱および開閉可能に支持するパチンコ遊技機の外枠であって、
前記外枠(A)は、上辺を構成する金属製の上枠部材(10)と、左辺を構成する金属製の左側枠部材(11)と、右辺を構成する金属製の右側枠部材(12)と、下辺を構成する金属製の下枠部材(13)とを連結して前後に開口する矩形枠状に構成され、
前記上枠部材(10)は、該上枠部材(10)の長手方向へ延在して上面を構成し、外枠(A)の前後方向である該上枠部材(10)の短手方向に離間する３つの第１壁部(20)と、該上枠部材(10)の長手方向へ延在して下面を構成し、該上枠部材(10)の短手方向に離間する２つの第２壁部(21)と、第１壁部(20)と第２壁部(21)に略直角に連設されて該上枠部材(10)の長手方向および厚み方向へ延在する４つの第３壁部(22)とから、該上枠部材(10)の短手方向の中央に第１壁部(20)および一対の第３壁部(22,22)により凸状部分が該上枠部材(10)の長手方向に延在するよう形成されると共に該凸状部分の両側に第２壁部(21)および一対の第３壁部(22,22)により凹状部分が該上枠部材(10)の長手方向に延在するよう形成され、
前記左側枠部材(11)は、該左側枠部材(11)の長手方向へ延在して前記右側枠部材(12)から離間する外面を構成し、外枠(A)の前後方向である該左側枠部材(11)の短手方向に離間する２つの第１壁部(25)と、該左側枠部材(11)の長手方向へ延在して前記右側枠部材(12)を向く内面を構成し、該左側枠部材(11)の短手方向に離間する３つの第２壁部(26)と、第１壁部(25)と第２壁部(26)に略直角に連設されて該左側枠部材(11)の長手方向および厚み方向に延在する４つの第３壁部(27)とから、該左側枠部材(10)の短手方向の中央に第２壁部(26)および一対の第３壁部(27,27)により凸状部分が該左側枠部材(11)の長手方向に延在するよう形成されると共に該凸状部分の両側に第１壁部(25)および一対の第３壁部(27,27)により凹状部分が該左側枠部材(11)の長手方向に延在するよう形成され、
前記右側枠部材(12)は、該右側枠部材(12)の長手方向へ延在して前記左側枠部材(11)から離間する外面を構成し、外枠(A)の前後方向である該右側枠部材(12)の短手方向に離間する２つの第１壁部(30)と、該右側枠部材(12)の長手方向へ延在して前記左側枠部材(11)を向く内面を構成し、該右側枠部材(12)の短手方向に離間する３つの第２壁部(31)と、第１壁部(30)と第２壁部(31)に略直角に連設されて該右側枠部材(12)の長手方向および厚み方向に延在する４つの第３壁部(32)とから、該右側枠部材(12)の短手方向の中央に第２壁部(31)および一対の第３壁部(32,32)により凸状部分が該右側枠部材(12)の長手方向に延在するよう形成されると共に該凸状部分の両側に第１壁部(30)および一対の第３壁部(32,32)により凹状部分が該右側枠部材(12)の長手方向に延在するよう形成され、
前記下枠部材(13)は、該下枠部材(13)の長手方向へ延在して上面を構成する上板部(40)と、該下枠部材(13)の長手方向へ延在して前面を構成する前板部(41)と、該下枠部材(13)の長手方向へ延在して下面を構成する底板部(42)とからコ字状の形態とされ、前記左側枠部材(11)の下端を連結する第１連結部(14)および右側枠部材(12)の下端を連結する第２連結部(15)を有し、
前記上枠部材(10)の左端および前記左側枠部材(11)の上端の間に介在し、両部材(10,11)同士を連結する金属製の第１連結部材(16)は、水平支持板(53)と、該水平支持板(53)の左端に折曲形成されて前後方向に離間する２枚の垂直支持片(54a,54a)とから構成され、前記水平支持板(53)を、上枠部材(10)における第２壁部(21)の下面に接合すると共に、２枚の垂直支持片(54a,54a)を、左側枠部材(11)における凸状部分を挟む両側の第１壁部(25)の内面に２枚の第３壁部(27,27)で挟まれた状態で夫々接合することで、上枠部材(10)と左側枠部材(11)とが連結され、
前記上枠部材(10)の右端および前記右側枠部材(12)の上端の間に介在し、両部材(10,12)同士を連結する金属製の第２連結部材(17)は、水平支持板(53)と、該水平支持板(53)の右端に折曲形成されて前後方向に離間する２枚の垂直支持片(54a,54a)とから構成され、前記水平支持板(53)を、上枠部材(10)における第２壁部(21)の下面に接合すると共に、２枚の垂直支持片(54a,54a)を、右側枠部材(12)における凸状部分を挟む両側の第１壁部(30)の内面に２枚の第３壁部(32,32)で挟まれた状態で夫々接合することで、上枠部材(10)と右側枠部材(12)とが連結され、
前記第１連結部(14)は、前記上板部(40)の左端に連設された第１支持片(43)と、前記前板部(41)および底板部(42)の左端に連設されて第１支持片(43)から左方に左側枠部材(11)の厚み寸法だけ離間する第２支持片(44)および第３支持片(45)とから構成され、前記第１支持片(43)を左側枠部材(11)の第２壁部(26)の内面に接合すると共に、前記第２支持片(44)および第３支持片(45)を左側枠部材(11)における第１壁部(25)の外面に接合することで、下枠部材(13)と左側枠部材(11)とが連結され、
前記第２連結部(15)は、前記上板部(40)の右端に連設された第１支持片(43)と、前記前板部(41)および底板部(42)の右端に連設されて第１支持片(43)から右方に右側枠部材(12)の厚み寸法だけ離間する第２支持片(44)および第３支持片(45)とから構成され、前記第１支持片(43)を右側枠部材(12)の第２壁部(31)の内面に接合すると共に、前記第２支持片(44)および第３支持片(45)を右側枠部材(12)における第１壁部(30)の外面に接合することで、下枠部材(13)と右側枠部材(12)とが連結されることを特徴とする。
【０００７】
【作用】
左側枠部材は、下枠部材に設けた連結部で該下枠部材の左側に連結され、右側枠部材は、下枠部材に設けた連結部で該下枠部材の右側に連結され、上枠部材は、第１連結部材を介して左側枠部材に連結されると共に第２連結部材を介して右側枠部材に連結される。上枠部材、左側枠部材および右側枠部材は、長手方向へ延在する補強リブを有しており、反りや撓みを起因とした変形が起こり難くなっている。また、左側枠部材および右側枠部材は、長手方向の所要位置に補強部材を有しているので、長手方向に沿った軸を中心とした捻れ変形も起こり難くなっている。従って外枠は、上枠部材、左側枠部材、右側枠部材および下枠部材の夫々が剛性を有していると共に、前記第１連結部材、第２連結部材および連結部により各枠部材が強固に枠組み結合されるから、各種の遊技機構成部材等を搭載して重量が嵩む前枠を長期間に亘って安定的に支持し得る剛性が確保されている。
そして別体成形された受片が、右側枠部材に設けた取付部に正確に位置決めされながら該部材に固定されるので、外枠に閉成した前枠の保持が確実になされる。また、下枠部材に設けた設置調整穴を利用することで、当該外枠を遊技ホールの設置枠台に対して適切な後傾角度で容易に取付け得る。更に、下枠部材の前板部に装飾部材を組付けることで、遊技機の前面に露出する部分が無くなるから装飾性の向上が図られる。なお装飾部材は、下枠部材に対して着脱可能に組付けるようにすれば、該装飾部材が汚れたり破損した際に新品の装飾部材と簡単に交換することができる。
【０００８】
【発明の実施の形態】
次に、本発明に係るパチンコ遊技機の外枠につき、好適な実施例を挙げて添付図面を参照しながら、以下詳細に説明する。なお実施例では、前枠の正面内部にパチンコ球用の遊技盤がセットされた一般的なパチンコ機の場合を主に例示する。
【０００９】
(パチンコ機について)
本実施例のパチンコ機Ｐは、図７および図８に示すように、縦長方形に枠組み形成された外枠Ａと、各種の遊技機構成部材用の搭載枠とされる前枠Ｂとから構成されている。すなわち前記外枠Ａの開口前面側に、前記前枠Ｂが連結支持手段および施錠装置６３を利用して開閉および着脱可能に組付けられ、合成樹脂製とされる該前枠Ｂの各部に、ガラス扉Ｃ、上球皿Ｄおよび下球皿Ｅ、打球発射装置Ｆ等が装備される一方、前枠Ｂの正面内部に所要の遊技盤Ｇが着脱交換可能にセットされており、更に前枠Ｂの裏側には、アウト球、セーフ球、賞球の各処理部を有する機構セット盤Ｈが着脱可能に装備されて１台単位とされる。そして、遊技ホール内等での実施に当っては、設置枠台(通称「島」)６４における各収容枠部に、前記外枠Ａが所定の後傾起立状態で固定保持されたもとで、前枠Ｂが組付けセットされて遊技に供されるようになっている。
【００１０】
(外枠について)
実施例の外枠Ａは、図１および図２に示すように、該外枠Ａの上辺を構成する金属製の上枠部材１０と、該外枠Ａの左辺を構成する金属製の左側枠部材１１と、該外枠Ａの右辺を構成する金属製の右側枠部材１２と、該外枠Ａの下辺を構成する金属製の下枠部材１３とから基本的に構成され、これら各枠部材１０,１１,１２,１３を枠組み連結することで縦長矩形状の枠体とされている。すなわち左側枠部材１１は、下枠部材１３に設けた第１連結部１４で該下枠部材１３の左側に連結され、右側枠部材１２は、下枠部材１３に設けた第２連結部１５で該下枠部材１３の右側に連結される一方、上枠部材１０は、後述する第１連結部材１６を介して左側枠部材１１に連結されると共に第２連結部材１７を介して右側枠部材１２に連結される。このように４本の枠部材１０,１１,１２,１３から枠組み形成された外枠Ａでは、上枠部材１０、左側枠部材１１および右側枠部材１２の前端面と、下枠部材１３の前板部(後述)の上縁とで形成される開口領域が、前記前枠Ｂに整合する前面域とされている。
【００１１】
(上枠部材)
前記上枠部材１０は、図１、図２および図４に示すように、薄肉(例えば１ｍｍ程度)の金属板材を凹凸状に折曲げた側断面波板形態とされ、該部材１０の長手方向へ延在してその上面を部分的に構成する第１壁部２０と、該部材１０の長手方向へ延在してその下面を部分的に構成する第２壁部２１と、両壁部２０,２１に略直角に連設されて該部材１０の長手方向および厚み方向へ延在する第３壁部２２とから構成されている。そして、幅Ｘ１が約７０ｍｍ、長さＹ１が約５２０ｍｍ、厚みＺ１が２０ｍｍの細長の外形形状とされ、従来の木製または合成樹脂製の上枠部材と略同一サイズとなっている。これにより上枠部材１０は、軽量化が図られながらも、前記第１壁部２０および第２壁部２１により幅(Ｘ１)方向への曲げおよび撓み変形が規制される一方、補強リブとして機能する前記第３壁部２２により厚み(Ｚ１)方向への曲げおよび撓み変形が規制されるようになっている。なお、外枠Ａの後側を指向する部分には、前記設置枠台６４に設けた球補給設備との干渉を防止するための凹部２３が形成されている。
【００１２】
(左側枠部材)
前記左側枠部材１１は、図１、図２および図５に示すように、薄肉(例えば１ｍｍ程度)の金属板材を凹凸状に折曲げた平断面波板形態とされ、該部材１１の長手方向へ延在してその外面を部分的に構成する第１壁部２５と、該部材１１の長手方向へ延在してその内面を部分的に構成する第２壁部２６と、両壁部２５,２６に略直角に連設されて該部材１１の長手方向および厚み方向へ延在する第３壁部２７とから構成されている。そして、幅Ｘ２が約７０ｍｍ、長さＹ２が約７８０ｍｍ、厚みＺ２が約２０ｍｍの細長の外形形状とされ、従来の木製または合成樹脂製の左側枠部材と略同一サイズとなっている。これにより左側枠部材１１は、軽量化が図られながらも、前記第１壁部２５および第２壁部２６により幅(Ｘ２)方向への曲げおよび撓み変形が規制される一方、補強リブとして機能する前記第３壁部２７により厚み(Ｚ２)方向への曲げおよび撓み変形が規制されるようになっている。更に、前記第１壁部２５,２５における長手方向の略中間部位に、矩形板状の補強部材２８が例えば溶接等により配設され、これにより長手方向の軸線に沿った捻れ変形も防止されるようになっている。従って左側枠部材１１は、薄肉の金属板材から形成されているものの、極めて高い剛性を有している。
【００１３】
(右側枠部材)
前記右側枠部材１２は、図１、図２および図５に示すように、薄肉(例えば１ｍｍ程度)の金属板材を凹凸状に折曲げた平断面波板形態とされ、該部材１２の長手方向へ延在してその外面を部分的に構成する第１壁部３０と、該部材１２の長手方向へ延在してその内面を部分的に構成する第２壁部３１と、両壁部３０,３１に略直角に連設されて該部材１２の長手方向および厚み方向へ延在する第３壁部３２とから構成されている。そして、幅Ｘ３が約７０ｍｍ、長さＹ３が約７８０ｍｍ、厚みＺ３が約２０ｍｍの細長の外形形状とされ、従来の木製または合成樹脂製の右側枠部材と略同一サイズとされている。これにより右側枠部材１２は、軽量化が図られながらも、前記第１壁部３０および第２壁部３１により幅(Ｘ３)方向への曲げおよび撓み変形が規制される一方、補強リブとして機能する前記第３壁部３２により厚み(Ｚ３)方向への曲げおよび撓み変形が規制されるようになっている。更に、前記第１壁部３０,３０における長手方向の略中間部位に、矩形板状の補強部材３３が例えば溶接等により配設され、これにより長手方向の軸線に沿った捻れ変形も防止されるようになっている。従って右側枠部材１２は、薄肉の金属板材から形成されているものの、極めて高い剛性を有している。なお、外枠Ａの前側を指向する部分には、前記前枠Ｂに設けた前記施錠装置６３との干渉を防止するための凹部３４が形成されている。
【００１４】
(受片)
そして、前記右側枠部材１２の上部および下部の所要位置には、前枠Ｂに設けた前記施錠装置６３の掛止片(図示せず)が掛脱可能に掛止する受片３７,３７が、該枠部材１２から開口領域内へ突設されている。これら受片３７,３７は、外枠Ａ(右側枠部材１２)とは別体に別途成形されたもので、前記右側枠部材１２に正確に開設した取付部としての開口部３５に嵌入可能な台形状の掛止片３８と、この掛止片３８に略直角に連設され、右側枠部材１２の前記第２壁部３１における壁面に密着固定される取付片３９とから構成されている。従って各受片３７,３７は、前記掛止片３８を前記開口部３５に嵌入させ、前記取付片３９を第２壁部３１に固着させることで、正確な位置決めが図られた状態で外枠Ａに固定されている。
【００１５】
(下枠部材)
前記下枠部材１３は、図１、図２、図３および図６に示すように、薄肉(例えば１ｍｍ程度)の金属板材を側面略コ字形に折曲げた箱形態とされ、該部材１３の長手方向へ延在してその上面を構成する上板部４０と、該部材１３の長手方向へ延在してその前面を構成する前板部４１と、該部材１３の長手方向へ延在してその下面を構成する底板部４２とから構成されている。そして下枠部材１３の左端には、前記左側枠部材１１の下端を支持するための第１連結部１４が設けられると共に、その右端には、前記右側枠部材１２の下端を支持するための第２連結部１５が設けられている。これら第１連結部１４および第２連結部１５は基本的には同一構成とされ、前記上板部４０に連設されて対応の側枠部材１１,１２における第２壁部２６,３１に溶接結合される第１支持片４３と、前記前板部４１に連設されて対応の側枠部材１１,１２における第１壁部２５,３０に溶接結合される第２支持片４４と、前記底板部４２に連設されて対応の側枠部材１１,１２における第１壁部２５,３０に溶接結合される第３支持片４５とから構成されている。
【００１６】
(設置調整穴)
そして、下枠部材１３における前記底板部４２には、図３に示すように、外枠Ａを設置枠台６４に対して固定する釘(図示せず)の挿通を許容する長穴状の設置調整穴４６,４６が、該外枠Ａの前後方向へ延在するように開設されている。これら設置調整穴４６,４６は、当該外枠Ａを前記設置枠台６４に組付けるに際し、釘を利用して上枠部材１０を設置枠台６４に固定し、別の釘を該設置調整穴４６,４６を介して設置枠台６４に適宜打込んで下枠部材１３を固定した状態において、前記上枠部材１０を基準として下枠部材１３を前後方向へ調整移動させ得るようにするためのものである。すなわち外枠Ａは、設置枠台６４に対する組付作業時に、上枠部材１０を基準として下枠部材１３を前後に位置調整することができるから、設置枠台６４に対して適切な後傾起立状態で簡単かつ正確に固定し得る。
【００１７】
(装飾部材)
また前記下枠部材１３の前記前板部４１には、該前板部４１を全体的に被覆し得る合成樹脂製の装飾パネル(装飾部材)５０が装着され、当該パチンコ機Ｐの装飾性向上を図り得るようになっている。すなわち前記前板部４１には、合計４個の鍵穴状の係止孔(第１係止部)４７が設けられ、また前記装飾パネル５０の裏面には、前記各係止孔４７に係止可能な合計４個の係止片(第２係止部)５１が突設されている。従って、これら係止片５１を対応の係止孔４７へ嵌入して係合させることにより、前記装飾パネル５０は下枠部材１３の前板部４１に対して着脱可能に装着される。これにより実施例の外枠Ａは、前記前枠Ｂおよび前記装飾パネル５０により、当該パチンコ機Ｐを設置枠台６４に設置した際に前方へ全く露出しない(図７)。
【００１８】
(第１連結部材)
前記上枠部材１０と左側枠部材１１とは、図１および図２に示すように、両部材１０,１１の間に介在する第１連結部材１６で連結するようになっている。この第１連結部材１６は正面略Ｌ字形に形成され、上枠部材１０における前記第２壁部２１内面左端に接合される水平支持板５３と、左側枠部材１１における前記第１壁部２５の内面上端に接合される垂直支持板５４とから構成され、夫々の支持板５３,５４は例えば溶接により対応の枠部材１０,１１に接合される。これにより上枠部材１０と左側枠部材１１とは、前記第１連結部材１６を介して強固に連結されるようになっている。なお、前記水平支持板５３の前縁には、後述する上ヒンジ部５５が一体的に設けられている。また、前記垂直支持板５４は２枚の垂直支持片５４ａ,５４ｂから構成されており、図５に示すように、前記左側枠部材１１に固定された際に各垂直支持片５４ａ,５４ｂは、該左側枠部材１１の第１壁部２５,２５の内面に位置し、その両側端面が第３壁部２７によって挟まれた状態となっている。
【００１９】
(第２連結部材)
前記上枠部材１０と右側枠部材１２とは、図１および図２に示すように、両部材１０,１２の間に介在する第２連結部材１７で連結するようになっている。この第２連結部材１７は正面略Ｌ字形に形成され、上枠部材１０における前記第２壁部２１の内面右端に接合される水平支持板５３と、右側枠部材１２における前記第１壁部３０の内面上端に接合される垂直支持板５４とから構成され、夫々の支持板５３,５４は例えば溶接により対応の枠部材１０,１２に接合される。これにより上枠部材１０と右側枠部材１２とは、前記第２連結部材１７を介して強固に連結されるようになっている。なお、前記垂直支持板５４は２枚の垂直支持片５４ａ,５４ｂから構成されており、図５に示すように、前記右側枠部材１２に固定された際に各垂直支持片５４ａ,５４ｂは、該右側枠部材１２の第１壁部３０の内面に位置し、その両側端面が第３壁部３２によって挟まれた状態となっている。
【００２０】
(ヒンジ部)
そして、前記外枠Ａにおける正面左側の上部には、前記前枠Ｂの左側上縁を枢支する上ヒンジ部５５が設けられ、また該外枠Ａにおける正面左側の下部(前記下枠部材１３の左端部)には、前記上ヒンジ部５５と対向して該前枠Ｂの左側下縁を枢支する下ヒンジ部５６が設けられている。このうち上ヒンジ部５５は、前述したように、第１連結部材１６の水平支持板５３に一体的に設けられ、前記上枠部材１０と左側枠部材１１の間から水平前方へ延出する支持片５７と、この支持片５７に設けた支持孔５８とから構成されている。一方、下ヒンジ部５６は、単独の構成部品として成形されて前記下枠部材１３の前板部４１に例えば溶接接合され、該前板部４１に接合される基板片５９と、この基板片５９に一体成形されて水平前方へ延出する支持片６０と、この支持片６０に設けた支持孔６１とから構成されている。なお前記前枠Ｂには、上ヒンジ部５５の支持孔５８および下ヒンジ部５６の支持孔６１に係脱可能に嵌合する支持軸(図示せず)が設けられており、両支持孔５８,６１に対する支持軸の嵌合により外枠Ａに対して前枠Ｂが開閉可能に連結されるようになっている。
【００２１】
ここで、前記上枠部材１０、左側枠部材１１および右側枠部材１２は、例えば引抜き加工技術を利用して長尺ベルト状の金属板を前述した波板形状に成形したもので、幅Ｘ１,Ｘ２,Ｘ３および厚みＺ１,Ｚ２,Ｚ３が同一で、かつ横断面形状も同一とされている。従って、例えば前記横断面形状に引抜き加工して形成された長尺成形材を長さＸ１,Ｘ２,Ｘ３に切断すれば、前記上枠部材１０、左側枠部材１１および右側枠部材１２を容易に製作することができる。
【００２２】
【実施例の作用】
本実施例の外枠Ａでは、前記上枠部材１０、左側枠部材１１、右側枠部材１２および下枠部材１３、そして第１連結部材１６および第２連結部材１７は、夫々が所要厚の金属板材を成形することにより適宜剛性を有する成形部材として個別に製作される。そして、左側枠部材１１および右側枠部材１２にあっては、前記補強部材２８,３３を追加装着することにより、更なる剛性向上が図られる。また右側枠部材１２に開設した各開口部３５,３５に、前記掛止片３８を突出させた状態で各受片３７,３７を溶接固定する。更に下枠部材１３の前板部４１に、下ヒンジ部５６を溶接固定する一方、前記装飾パネル５０を着脱可能に装着する。
【００２３】
下枠部材１３と左側枠部材１１は、該下枠部材１３に設けた前記第１連結部１４に左側枠部材１１の下部を整合させたもとで、この左側枠部材１１の第２壁部２６と第１連結部１４の第１支持片４３とを溶接する一方、該左側枠部材１１の第１壁部２５と第１連結部１４の第２支持片４４および第３支持片４５を溶接することで、下枠部材１３が左側枠部材１１の内側と外側の両面に対して結合され、両部材１１,１３の強固な連結が図られる。一方、下枠部材１３と右側枠部材１２は、該下枠部材１３に設けた前記第２連結部１５に右側枠部材１２の下部を整合させたもとで、この右側枠部材１２の第２壁部３１と第２連結部１５の第１支持片４３とを溶接する一方、該右側枠部材１２の第１壁部３０と第２連結部１５の第２支持片４４および第３支持片４５を溶接することで、下枠部材１３が右側枠部材１２の内側と外側の両面に対して結合され、両部材１２,１３の強固な連結が図られる。
【００２４】
また左側枠部材１１と上枠部材１０は、前記第１連結部材１６における垂直支持板５４の各垂直支持片５４ａ,５４ｂを左側枠部材１１における第１壁部２５,２５の内面に溶接すると共に、該第１連結部材１６の水平支持板５３を上枠部材１０の内面に溶接することで、該第１連結部材１６を介して強固な連結が図られる。更に、右側枠部材１２と上枠部材１０は、前記第２連結部材１７における垂直支持板５４の各垂直支持片５４ａ,５４ｂを右側枠部材１２における第１壁部３０,３０の内面に溶接すると共に、該第２連結部材１７の水平支持板５３を上枠部材１０の内面に溶接することで、該第２連結部材１７を介して強固な連結が図られる。このような実施例の外枠Ａでは、上枠部材１０、左側枠部材１１、右側枠部材１２が補強リブとしての第３壁部２２,２７,３２を夫々有していると共に下枠部材１３が箱状に形成されているので、夫々の枠部材１０,１１,１２,１３自体が剛性を有している一方、第１連結部材１６、第２連結部材１７、第１連結部１４および第２連結部１５を利用して夫々の枠部材１０,１１,１２,１３が強固に枠組み連結される。
【００２５】
従って、このように形成された外枠Ａは、全体的に大幅な剛性向上が図られているから、各種の遊技機構成部材を搭載して重量が嵩む前記前枠Ｂを、前記上ヒンジ部５５および下ヒンジ部５６を利用して開閉可能に連結し、長期に亘って安定的に支持し得る剛性が確保される。殊に、左側枠部材１１および右側枠部材１２に補強部材２８,３３を設けたことにより、前枠Ｂの重みで外枠Ａが捻れてしまう不都合も好適に防止される。
【００２６】
また実施例の外枠Ａでは、右側枠部材１２に正確に開設した開口部３５,３５に対し、別体部材として形成した各受片３７,３７を位置決めして固定するようになっているから、両受片３７,３７の取付位置の精度向上が図られる。従って、外枠Ａの開口前面域に閉成した前枠Ｂを、該外枠Ａへ確実に保持することができる。
【００２７】
そして外枠Ａは、前記下枠部材１３に設けた設置調整穴４６を利用することで、当該外枠Ａを遊技ホールの設置枠台６４に対して適切な後傾角度で取付けることが容易となる。すなわち外枠Ａを設置枠台６４に固定するに際しては、先ず該設置枠台６４の上方に上枠部材１０を釘で固定し、次いで前記設置調整穴４６,４６を介して設置枠台６４の下方へ別の釘を打込んで下枠部材１３を仮固定した後、該下枠部材１３を設置枠台６４に対して前後へ調整移動させることができるから、設置枠台６４に対して該外枠Ａを適切な後傾起立状態で簡単かつ正確に固定し得る。また、下枠部材１３の前板部４１に装飾パネル５０を組付けることでパチンコ機Ｐの前面に露出する部分が無くなり、装飾性向上も図られる。更に装飾パネル５０は、下枠部材１３に対して着脱可能に組付けるようになっているから、例えば該装飾パネル５０が汚れたり破損した場合には、新品の装飾パネルと簡単に交換することができる。
【００２８】
なお、前記上枠部材１０、左側枠部材１１および右側枠部材１２は、引抜き加工した同一の成形部材を切断して製作されるから、製作コストの大幅な節減が期待できる。但し、これら上枠部材１０、左側枠部材１１および右側枠部材１２は、必ずしも断面形状を同一とする必要はなく、軽量化や剛性向上等を図ることを前提として異形断面形状としてもよい。
【００２９】
【発明の効果】
以上説明した如く、本発明に係るパチンコ遊技機の外枠は、上枠部材、左側枠部材、右側枠部材および下枠部材を全て金属製としたもとで、左側枠部材は下枠部材に設けた連結部で該下枠部材の左側に連結され、右側枠部材は下枠部材に設けた連結部で該下枠部材の右側に連結され、上枠部材は第１連結部材を介して左側枠部材に連結されると共に第２連結部材を介して右側枠部材に連結される。そして上枠部材、左側枠部材および右側枠部材は、長手方向へ延在する補強リブを有しており、反りや撓みを起因とする変形が起こり難くなっていると共に、左側枠部材および右側枠部材は、長手方向の所要位置に補強部材を有しているので、長手方向に沿った軸を中心とした捻れ変形も起こり難くなっている。従って外枠は、上枠部材、左側枠部材、右側枠部材および下枠部材が夫々剛性を有していると共に、各枠部材が前記第１連結部材、第２連結部材および連結部により強固に枠組み結合されるので、各種の遊技機構成部材等を搭載して重量が嵩む前枠を長期間に亘って安定的に支持し得る剛性が確保される有益な効果を奏する。
そして右側枠部材には、別体成形された受片が正確に位置決めされながら固定されるので、外枠に閉成した前枠の保持が確実になされる利点もある。また、下枠部材に設けた設置調整穴を利用することで、当該外枠を遊技ホールの設置枠台に対して適切な後傾角度で簡単かつ正確に取付け得る。
更に、下枠部材の前板部に装飾部材を組付けることで遊技機の前面に露出する部分が無くなり、装飾性の向上を図り得る利点もある。なお装飾部材を、下枠部材に対して着脱可能に組付けるようにすれば、該装飾部材が汚れたり破損した際には新品の装飾部材と簡単に交換することができる。
【図面の簡単な説明】
【図１】本発明の好適実施例に係るパチンコ機の外枠を示す斜視図である。
【図２】図１に示した外枠を、各構成部材を分解した状態で示す斜視図である。
【図３】下枠部材および装飾パネルを示す斜視図である。
【図４】図１のIV−IV線断面図である。
【図５】図１のＶ−Ｖ線断面図である。
【図６】図１のVI−VI線断面図である。
【図７】設置枠台に設置したパチンコ機を示す正面図である。
【図８】実施例の外枠を使用したパチンコ機の側面図である。
【符号の説明】
１０  上枠部材
１１  左側枠部材
１２  右側枠部材
１３  下枠部材
１４  第１連結部
１５  第２連結部
１６  第１連結部材
１７  第２連結部材
２０  第１壁部
２１  第２壁部
２２  第３壁部
２５  第１壁部
２６  第２壁部
２７  第３壁部
２８  補強部材
３０  第１壁部
３１  第２壁部
３２  第３壁部
３３  補強部材
３５  開口部
３７  受片
３８  掛止片
３９  取付片
４０  上板部
４１  前板部
４２  底板部
４３  第１支持片
４４  第２支持片
４５  第３支持片
４６  設置調整穴
４７  係止孔(第１係止部)
５０  装飾パネル(装飾部材)
５１  係止片(第２係止部)
５３  水平支持板
５４ａ  垂直支持片
５５  上ヒンジ部
５６  下ヒンジ部
Ａ  外枠
Ｂ  前枠
【図１】
0004577809.tif 000002
【図２】
0004577809.tif 000003
【図３】
0004577809.tif 000004
【図４】
0004577809.tif 000005
【図５】
0004577809.tif 000006
【図６】
0004577809.tif 000007
【図７】
0004577809.tif 000008
【図８】
0004577809.tif 000009